(57)【要約】【課題】操作性を一層向上させた電子機器を提供すること。【解決手段】第一面及び当該第一面の側部に設けられた第二面を有する筐体と、前記筐体のうち前記第一面に設けられた表示部と、前記筐体のうち前記第二面に設けられ、前記第二面における接触の有無及び接触位置を検出する検出部とを備え、前記検出部は、前記第二面に設定される基準位置を基準として所定方向の一方側と他方側とで非対称となる形状に形成されている。【選択図】図４
2013243502.tif 000002
【特許請求の範囲】
【請求項１】
第一面及び当該第一面の側部に設けられた第二面を有する筐体と、
前記筐体のうち前記第一面に設けられた表示部と、
前記筐体のうち前記第二面に設けられ、前記第二面における接触の有無及び接触位置を検出する検出部と
を備え、
前記検出部は、前記第二面に設定される基準位置を基準として所定方向の一方側と他方側とで非対称となる形状に形成されている
電子機器。
【請求項２】
前記検出部は、前記所定方向の一方側及び他方側のうち少なくとも一方に配置されている
請求項１に記載の電子機器。
【請求項３】
前記検出部は、前記所定方向の一方側から他方側へ向けて帯状に形成されている
請求項１又は請求項２に記載の電子機器。
【請求項４】
前記検出部は、前記所定方向の一方側から他方側へ向けて徐々に細くなるように形成されている
請求項３に記載の電子機器。
【請求項５】
前記筐体は、一方向に長手となるように形成され、
前記所定方向は、前記一方向に交差する第一方向に設定される
請求項１から請求項４のうちいずれか一項に記載の電子機器。
【請求項６】
前記筐体は、一方向に長手となるように形成され、
前記所定方向は、前記一方向に平行な第二方向に設定される
請求項１から請求項４のうちいずれか一項に記載の電子機器。
【発明の詳細な説明】
【技術分野】
【０００１】
本発明は、電子機器に関する。
【背景技術】
【０００２】
携帯電話や携帯情報端末などの電子機器として、例えば特許文献１が知られている。特許文献１に示すような電子機器においては、例えば板状に設けられた筐体の一の面に表示部が設けられており、当該一の面のうち表示部の周囲の領域や筐体の側部などに操作部が設けられた構成が知られている。
【先行技術文献】
【特許文献】
【０００３】
【特許文献１】特開２０１０−８６０８９号公報
【発明の概要】
【発明が解決しようとする課題】
【０００４】
しかしながら、従来の電子機器においては、ユーザーの操作性に改善の余地がある。本発明は、操作性を一層向上させた電子機器を提供する。
【課題を解決するための手段】
【０００５】
本発明の態様に従えば、第一面及び当該第一面の側部に設けられた第二面を有する筐体と、前記筐体のうち前記第一面に設けられた表示部と、前記筐体のうち前記第二面に設けられ、前記第二面における接触の有無及び接触位置を検出する検出部とを備え、前記検出部は、前記第二面に設定される基準位置を基準として所定方向の一方側と他方側とで非対称となる形状に形成されている電子機器が提供される。
【発明の効果】
【０００６】
本発明の態様によれば、操作性を一層向上させた電子機器を提供することができる。
【図面の簡単な説明】
【０００７】
【図１】本発明の実施の形態に係る携帯情報端末の構成を示す斜視図。
【図２】本実施形態に係る携帯情報端末の一部の構成を示す側面図。
【図３】本実施形態に係る携帯情報端末の一部の構成を示す断面図。
【図４】本実施形態に係る携帯情報端末の一部の構成を示す側面図。
【図５】本実施形態に係る携帯情報端末の一部の構成を示す断面図。
【図６】本実施形態に係る携帯情報端末の制御装置の構成を示すブロック図。
【図７】本実施形態に係る携帯情報端末の使用態様の一例を示す図。
【図８】本実施形態に係る携帯情報端末の使用態様の一例を示す図。
【図９】本実施形態に係る携帯情報端末の使用態様の一例を示す図。
【図１０】本発明の変形例に係る携帯情報端末の一部の構成を示す側面図。
【図１１】本発明の変形例に係る携帯情報端末の一部の構成を示す側面図。
【図１２】本発明の変形例に係る携帯情報端末の一部の構成を示す側面図。
【図１３】本発明の変形例に係る携帯情報端末の一部の構成を示す側面図。
【図１４】本発明の変形例に係る携帯情報端末の一部の構成を示す側面図。
【図１５】本発明の変形例に係る携帯情報端末の一部の構成を示す側面図。
【発明を実施するための形態】
【０００８】
以下、本発明の実施形態について図面を参照しながら説明するが、本発明はこれに限定されない。  
図１は、本実施形態に係る携帯情報端末ＥＱＰの構成を示す斜視図である。  
図１に示すように、携帯情報端末ＥＱＰは、筐体ＦＬ、表示部ＤＰ、操作部ＳＤ及び制御装置ＣＯＮＴを有している。筐体ＦＬは、例えば矩形の板状に形成されており、表示部ＤＰ及び操作部ＳＤを保持する。
【０００９】
以下の説明においては、ＸＹＺ直交座標系を設定し、このＸＹＺ直交座標系を参照しつつ各部の位置関係について説明する。筐体ＦＬの直交する２辺に平行な方向をそれぞれＸ軸方向及びＹ軸方向とし、Ｘ軸方向及びＹ軸方向のそれぞれと直交する方向（すなわち表示部ＤＰの面方向）をＺ軸方向とする。
【００１０】
表示部ＤＰは、筐体ＦＬのうち板面に設けられている。筐体ＦＬのうち当該表示部ＤＰが設けられる面を、以下表示面Ｆｅと表記する。表示部ＤＰは、例えば液晶装置や有機ＥＬ装置などを有する表示パネルＰＮを有している。表示パネルＰＮが設けられる表示領域には、例えばタッチパネルＴＰが設けられている。
【００１１】
操作部ＳＤは、筐体ＦＬのうち表示面Ｆｅを囲む４辺に相当する４つの側面Ｆａ〜Ｆｄに設けられている。操作部ＳＤは、側面Ｆａに設けられた側部検出部ＳＤ１、側面Ｆｂに設けられた側部検出部ＳＤ２、側面Ｆｃに設けられた側部検出部ＳＤ３及び側面Ｆｄに設けられた側部検出部ＳＤ４を有している。操作部ＳＤは、側部検出部ＳＤ１〜ＳＤ４において外部からの（例えばユーザーの）接触の有無及び接触位置を検出する。
【００１２】
図２は、操作部ＳＤ（側部検出部ＳＤ１及びＳＤ２）の一部の構成を示す図である。図２には、側面Ｆｂに設けられた側部検出部ＳＤ２の構成を代表させて示しているが、側部検出部ＳＤ１についても同様の説明が可能である。
【００１３】
図２に示すように、側面Ｆｂのほぼ中央部には、検出領域２０が設けられている。検出領域２０は、側面Ｆｂの長手方向に一致する方向に長手に形成された矩形の領域である。側部検出部ＳＤ２は、検出領域２０に設けられた電極１０を有している。電極１０は、検出領域２０の長手方向に並べられた複数の表面側電極１０ａを有している。
【００１４】
図３は、側部検出部ＳＤ２の構成を示す断面図である。図３には、図２と同様に、側面Ｆｂに設けられた側部検出部ＳＤ２の構成を代表させて示しているが、他の側部検出部ＳＤ１、ＳＤ３及びＳＤ４についても同様の説明が可能である。
【００１５】
図３に示すように、各表面側電極１０ａは、側面Ｆｂの他の部分と面一状態となるように配置されている。また、各表面側電極１０ａは、それぞれ内部側電極１０ｂと対向するように配置されている。表面側電極１０ａと内部側電極１０ｂとの間には、それぞれ誘電体１０ｃが配置されている。このように、電極１０は、表面側電極１０ａと内部側電極１０ｂとの間で形成される容量電極を有している。各容量電極は、それぞれ制御装置ＣＯＮＴに接続されている。
【００１６】
例えばユーザーの指などが検出領域２０の一部分に接触すると、電極１０のうち接触された部分に配置される表面側電極１０ａと内部側電極１０ｂとの間の静電容量が変化するようになっている。また、検出領域２０の一部分に接触していたユーザーの指などの接触状態が解除されると、表面側電極１０ａと内部側電極１０ｂとの間の静電容量が元の状態に戻るようになっている。
【００１７】
このように、側部検出部ＳＤ２では、電極１０における接触部分の静電容量が局所的に変化するように構成されている。このような静電容量の変化は、制御装置ＣＯＮＴに送信されるようになっている。制御装置ＣＯＮＴでは、当該静電容量の変化を検出することにより、外部からの接触の有無及び接触位置を算出可能となっている。なお、例えばユーザーが検出領域２０に沿って接触部分を移動させる場合、静電容量の変化する位置が接触部分の移動に伴って移動する。制御装置ＣＯＮＴでは、この静電容量の変化する位置の移動（移動方向、移動距離及び移動速度）についても検出可能となっている。
【００１８】
図４は、操作部ＳＤ（側部検出部ＳＤ３及びＳＤ４）の構成を示す図である。図４には、側面Ｆｄに設けられた側部検出部ＳＤ４の構成を代表させて示しているが、側部検出部ＳＤ３についても同様の説明が可能である。側部検出部ＳＤ４は、側面電極３０を有している。
【００１９】
図４には、側面Ｆｄの中央部（基準位置）Ｃが示されている。側面電極３０は、側面側から見て三角形に形成されている。側面電極３０は、側面Ｆｄの＋Ｙ側端部から−Ｙ側端部にかけて帯状に形成されている。側面電極３０は、＋Ｙ側から−Ｙ側へ向けて徐々に細くなるように形成されている。また、同時に、側面電極３０は、＋Ｚ側から−Ｚ側へ向けて徐々に細くなるように形成されている。
【００２０】
このように、側面電極３０は、中央部Ｃを基準として第一方向（Ｙ方向）の一方側（＋Ｙ側）と他方側（−Ｙ側）とで非対称となる形状に形成されている。また、側面電極３０は、中央部Ｃを基準として第二方向（Ｚ方向）の一方側（＋Ｚ側）と他方側（−Ｚ側）とで非対称となる形状に形成されている。
【００２１】
図５は、側面検出部ＳＤ４（ＳＤ３）の断面構成を示す図である。  
図５に示すように、側面検出部ＳＤ４は、側面電極３０の下層側に、絶縁層３１及び内部電極３２を有している。側面検出部ＳＤ４は、側面電極３０と内部電極３２との間で形成される容量を検出する容量電極を有している。各容量電極は、それぞれ制御装置ＣＯＮＴに接続されている。
【００２２】
図６は、制御装置ＣＯＮＴの構成を示すブロック図である。  
図６に示すように、制御装置ＣＯＮＴは、制御部５１、入力部５２、出力部５３、記憶部５４、通信部５５及び電源部５６を有している。
【００２３】
制御部５１は、携帯情報端末ＥＱＰの統括的な演算処理を行う。入力部５２は、携帯情報端末ＥＱＰに対して入力を行う部分である。入力部５２としては、上記の側部検出部ＳＤ１〜ＳＤ４や表示部検出部５２ｂ、また、入力部５２として、例えば姿勢検出部５２ｃなどのセンサが設けられている。この他、入力部５２として、例えばマイクなどの不図示の音声入力部が設けられていても構わない。
【００２４】
表示部検出部５２ｂは、タッチパネルＴＰにおける接触の有無及び接触位置を検出する。姿勢検出部５２ｃは、携帯情報端末ＥＱＰの姿勢を検出するセンサである。姿勢検出部５２ｃとしては、例えば３軸加速度センサやジャイロセンサ、地磁気センサなどが設けられている。
【００２５】
出力部５３は、画像や音声などを出力する。出力部５３としては、例えば画像を表示する上記の表示部ＤＰや、スピーカー（不図示）のような音声を出力する音声出力部５３ｂなどが挙げられる。記憶部５４は、制御部５１による演算結果や入力部５２に入力させる入力情報、出力部５３によって出力させる出力情報（例、画像データ、音声データ）、通信部５５を介して通信する情報などを記憶する。
【００２６】
通信部５５は、外部との間で有線方式及び無線方式のうち少なくとも一方の方式によって情報の通信が可能となるように構成されている。電源部５６は、携帯情報端末ＥＱＰに電力を供給するための電源が配置されている。電源部５６としては、例えば電池やバッテリー等が挙げられる。
【００２７】
図７から図９は、ユーザーが携帯情報端末ＥＱＰを手で保持した場合において、ユーザーの指の位置と携帯情報端末ＥＱＰの側面Ｆｄとの接触領域を示す図である。なお、側面Ｆｃにおいても同様の説明が可能である。
【００２８】
まず、ユーザーの指などが側面電極３０に接触すると、側面電極３０のうち接触された部分と内部電極３２との間の静電容量が変化する。また、側面電極３０に接触していたユーザーの手などの接触状態が解除されると、側面電極３０と内部電極３２との間の静電容量が元の状態に戻るようになっている。側面電極３０とユーザーの指との間の接触面積が大きいほど、静電容量の変化量は大きくなる。したがって、静電容量の変化量を検出することにより、まず、ユーザーの指が側面Ｆｄのどの部分に接触したかを判別することができる。
【００２９】
図７に示すように、ユーザーが側面Ｆｄに指を接触させたまま−Ｙ方向に移動させる場合、側面電極３０が−Ｙ方向へ向けて徐々に細くなるように形成されているため、ユーザーの指と側面電極３０との間の接触面積は徐々に小さくなる。このため、検出される静電容量は徐々に小さくなる。逆に、ユーザーが側面Ｆｄに指を接触させたまま＋Ｙ方向に移動させる場合には、検出される静電容量の変化量は徐々に大きくなる。したがって、静電容量の変化量（減少量又は増加量）を検出することにより、ユーザーが指を側面Ｆｄのどの位置まで移動させたかを判別することができる。
【００３０】
図８に示すように、ユーザーが側面Ｆｄに指を接触させたまま−Ｚ方向に移動させる場合、ユーザーの指が側面電極３０の＋Ｚ側の辺から−Ｚ方向に徐々に側面電極３０との接触状態が解除されていくため、ユーザーの指と側面電極３０との間の接触面積は徐々に小さくなる。このため、検出される静電容量の変化量は徐々に小さくなる。
【００３１】
また、ユーザーが側面Ｆｄに指を接触させたまま＋Ｚ方向に移動させる場合、ユーザーの指が側面電極３０の−Ｚ側の辺（斜辺）から＋Ｚ方向に徐々に側面電極３０との接触状態が解除されていくため、ユーザーの指と側面電極３０との間の接触面積は徐々に小さくなる。このため、検出される静電容量の変化量は徐々に小さくなる。
【００３２】
このとき、側面電極３０の−Ｚ側の辺が斜辺となっているため、ユーザーが側面Ｆｄに指を接触させた状態から−Ｚ側へ指を移動させる場合と、＋Ｚ側へ指を移動させる場合とで、ユーザーの指と側面電極３０との間の接触面積が異なり、変化する静電容量が異なってくる。制御装置ＣＯＮＴでは、この違いを検出することにより、ユーザーが指を＋Ｚ方向及び−Ｚ方向のいずれに移動させたかを検出することができる。
【００３３】
なお、ユーザーが側面Ｆｄの−Ｚ側から側面Ｆｄ上に＋Ｚ方向に指を移動させてくる場合や、ユーザーが側面Ｆｄの＋Ｚ側から側面Ｆｄ上に−Ｚ方向に指を移動させてくる場合には、検出される静電容量の変化量は徐々に大きくなる。この場合においても、−Ｚ側へ指を移動させる場合と、＋Ｚ側へ指を移動させる場合とで、ユーザーの指と側面電極３０との間の接触面積が異なり、変化する静電容量が異なってくる。制御装置ＣＯＮＴでは、この違いを検出することにより、ユーザーが指を＋Ｚ方向及び−Ｚ方向のいずれに移動させたかを検出することができる。
【００３４】
図９に示すように、ユーザーが側面Ｆｄに指を接触させた状態から、−Ｘ方向に側面電極３０を押下する場合には、図５に示す側面電極３０が内部電極３２側に押されるため、側面電極３０と内部電極３２との間の距離が小さくなり、静電容量が増加する。ここで、側面電極３０が−Ｙ方向へ向けて徐々に細くなるように形成されているため、ユーザーの指のＹ方向における接触位置によって押下される部分の面積が異なるため、押下されたときの静電容量の増加量が異なってくる。制御装置ＣＯＮＴは、この増加量の違いを検出することで、ユーザーが側面Ｆｄのどの部分を押下したかを判別することができる。
【００３５】
以上のように、本実施形態によれば、筐体ＦＬの側面Ｆｃ及びＦｄに設けられ、当該側面Ｆｃ及びＦｄにおける接触の有無及び接触位置を検出する側面検出部ＳＤ３及びＳＤ４を備え、側面検出部ＳＤ３及びＳＤ４は、側面Ｆｃ及びＦｄに設定される基準位置Ｃを基準として所定方向（Ｙ方向及びＺ方向のうち少なくとも一方）の一方側（正側）と他方側（負側）とで非対称となる形状に形成された側面電極３０を有しているため、ユーザーの指のＹ方向における移動、Ｚ方向における移動及びＸ方向における押下の各動作を検出することができる。これにより、操作性を一層向上させた携帯情報端末ＥＱＰを提供することができる。
【００３６】
本発明の技術範囲は上記実施形態に限定されるものではなく、本発明の趣旨を逸脱しない範囲で適宜変更を加えることができる。  
上記実施形態においては、側部検出部ＳＤ１〜ＳＤ４の構成として、接触によって静電容量が変化するのを検出する構成を例に挙げて説明したが、これに限られることは無く、例えば、接触によって電圧が変化するのを検出する構成（例えば、抵抗膜方式のタッチセンサ等）としても構わない。また、側部検出部ＳＤ１〜ＳＤ４の構成として、電極を設ける構成の他、例えば表面弾性波方式や赤外線方式など、電極を設けない構成であっても構わない。
【００３７】
また、上記実施形態においては、側部検出部ＳＤ３及びＳＤ４において、側面電極３０が設けられた構成を例に挙げて説明したが、これに限られることは無い。例えば、側部検出部ＳＤ１〜側部検出部ＳＤ４のうち少なくとも１つに側面電極３０が設けられた構成であればよい。
【００３８】
また、上記実施形態においては、表示部ＤＰの表面にタッチパネルＴＰが設けられた構成を例に挙げて説明したが、これに限られることは無く、タッチパネルＴＰが設けられない構成であっても構わない。この場合、操作部ＳＤに設けられる側部検出部ＳＤ１〜ＳＤ４を用いて操作する構成となる。この構成により、タッチパネルＴＰを設けなくても高い操作性を得ることができるため、携帯情報端末の低コスト化を図ることができる。
【００３９】
また、上記実施形態において、側部検出部ＳＤ４（ＳＤ３）の側面電極３０の形状、個数、配置などについては、上記構成に限られず、以下の図１０〜図１５に示す構成であっても構わない。
【００４０】
図１０〜図１５は、携帯情報端末ＥＱＰの一部の構成を示す図である。なお、以下の各図及び説明においては、側面Ｆｄ、側部検出部ＳＤ４を代表させて示して説明するが、側面Ｆａ〜Ｆｃ、側部検出部ＳＤ１〜ＳＤ３についても、同様の図示及び説明が可能である。
【００４１】
図１０に示す構成において、側面Ｆｄに配置された側部検出部ＳＤ４は、側面電極３０ａ及び側面電極３０ｂを有している。側面電極３０ａ及び側面電極３０ｂは、側面側から見てそれぞれ三角形に形成されている。これら側面電極３０ａ及び側面電極３０ｂは、側面ＦｄのＹ方向中央部及びＺ方向中央部を跨ぐように形成されている。
【００４２】
側面電極３０ａは、＋Ｙ側から−Ｙ側へ向けて徐々に細くなるように形成されている。また、側面電極３０ｂは、−Ｙ側から＋Ｙ側へ向けて徐々に細くなるように形成されている。側面電極３０ａ及び側面電極３０ｂは、互いの斜辺同士が平行に対向するようにＺ方向に並んで配置されている。
【００４３】
このように、側面検出部ＳＤ４は、側面電極３０ａが中央部Ｃを基準として＋Ｙ側に広がった構成となっており、側面電極３０ｂが中央部Ｃを基準として−Ｙ側に広がった構成となっている。このため、側面電極３０ａ及び側面電極３０ｂは、中央部Ｃを基準として＋Ｙ側と−Ｙ側とで非対称となる形状に形成されている。また、側面電極３０ａ及び側面電極３０ｂは、中央部Ｃを基準として＋Ｚ側と−Ｚ側とで非対称となる形状に形成されている。
【００４４】
また、図１１に示す構成において、側面検出部ＳＤ４は、側面電極３０ａ、側面電極３０ｂ及び側面電極３０ｃを有している。側面電極３０ａ、側面電極３０ｂ及び側面電極３０ｃは、側面側から見てそれぞれ三角形に形成されている。
【００４５】
側面電極３０ａは、側面側から見て三角形に形成されている。側面電極３０ａは、側面Ｆｄのうち図中左下側の角部から図中右上側の角部にかけて中央部Ｃを跨ぐように帯状に形成されている。側面電極３０ａは、側面電極３０ａは、図中左下側から右上側へ向けて徐々に細くなるように形成されている。
【００４６】
側面電極３０ｂ及び側面電極３０ｃは、側面側から見て三角形に形成されており、側面Ｆｄの＋Ｙ側端部から−Ｙ側端部にかけて帯状に形成されている。側面電極３０ｂ及び側面電極３０ｃは、＋Ｙ側から−Ｙ側へ向けて徐々に細くなるように形成されている。図中右上の角部において、側面電極３０ａと側面電極３０ｂとの間は、接続されていても構わないし、分離されていても構わない。また、図中左下の角部において、側面電極３０ａと側面電極３０ｃとの間は、接続されていても構わないし、分離されていても構わない。
【００４７】
また、この場合においても、側面電極３０ａ、側面電極３０ｂ及び側面電極３０ｃは、中央部Ｃを基準として＋Ｙ側と−Ｙ側とで非対称となる形状に形成されている。また、側面電極３０ａ、側面電極３０ｂ及び側面電極３０ｃは、中央部Ｃを基準として＋Ｚ側と−Ｚ側とで非対称となる形状に形成されている。
【００４８】
また、図１２に示す構成において、側面検出部ＳＤ４は、側面電極３０ａ、側面電極３０ｂ、側面電極３０ｃ、側面電極３０ｄ及び側面電極３０ｅを有している。これら側面電極３０ａ〜側面電極３０ｅは、側面側から見て三角形に形成されている。側面電極３０ａ〜側面電極３０ｅは、側面Ｆｄの＋Ｚ側から−Ｚ側に並んで配置されている。
【００４９】
側面電極３０ａ、側面電極３０ｃ及び側面電極３０ｅは、側面Ｆｄの図中−Ｙ側端部から中央部Ｃを超えた部分にかけて帯状に形成されている。側面電極３０ａ、側面電極３０ｃ及び側面電極３０ｅは、−Ｙ側から＋Ｙ側へ向けて徐々に細くなるように形成されている。
【００５０】
側面電極３０ｂ及び側面電極３０ｄは、側面Ｆｄの図中＋Ｙ側端部から中央部Ｃを超えた部分にかけて帯状に形成されている。側面電極３０ｂ及び側面電極３０ｄは、＋Ｙ側から−Ｙ側へ向けて徐々に細くなるように形成されている。側面電極３０ｂ及び側面電極３０ｄの−Ｙ側の先端部は、側面Ｆｄの中央部Ｃにおいて、側面電極３０ａ、側面電極３０ｃ及び側面電極３０ｅの＋Ｙ側の先端部とＺ方向視で重なるように配置されている。
【００５１】
この場合においても、側面電極３０ａ、側面電極３０ｂ、側面電極３０ｃ、側面電極３０ｄ及び側面電極３０ｅは、中央部Ｃを基準として＋Ｙ側と−Ｙ側とで非対称となる形状に形成されている。また、側面電極３０ａ、側面電極３０ｂ、側面電極３０ｃ、側面電極３０ｄ及び側面電極３０ｅは、中央部Ｃを基準として＋Ｚ側と−Ｚ側とで非対称となる形状に形成されている。
【００５２】
また、図１３に示す構成において、側面検出部ＳＤ４は、Ｙ方向に階段状に形成された側面電極３０ａを有している。この構成においては、ユーザーの指が側面電極３０ａに接触した場合、側面電極３０ａのどの段部分で静電容量が変化したかを検出することにより、接触位置をＹ方向に段階的に判別することができる。
【００５３】
また、図１４に示す構成において、側面検出部ＳＤ４は、側面ＦｄのＹ方向に階段状に形成された側面電極３０ａ及び側面電極３０ｂを有している。これらの側面電極３０ａ及び側面電極３０ｂは、Ｚ方向に並んで配置されている。この構成により、ユーザーの指との接触位置をＺ方向において２箇所で検出することができるため、例えばユーザーが指をＺ方向に移動したときの検出精度を向上させることができる。
【００５４】
図１３及び図１４のそれぞれに示す場合においても、側面電極（３０ａ、３０ｂ）は、中央部Ｃを基準として＋Ｙ側と−Ｙ側とで非対称となる形状に形成されている。また、側面電極（３０ａ、３０ｂ）は、中央部Ｃを基準として＋Ｚ側と−Ｚ側とで非対称となる形状に形成されている。
【００５５】
また、図１５に示す構成において、側面検出部ＳＤ４は、側面Ｆｄの＋Ｙ側端部及び−Ｙ側端部に１つずつ設けられた側面電極３０ａ及び３０ｂを有している。この場合、ユーザーが側面Ｆｄの＋Ｙ側端部及び−Ｙ側端部に指を接触させた状態において、特に高精度に指の移動などを検出することができる。図１５に示す構成は、例えば上記実施形態で説明した構成や、図１０〜図１４で説明した構成と組み合わせることができる。
【００５６】
また、この場合においても、側面電極３０ａ及び側面電極３０ｂは、中央部Ｃを基準として＋Ｙ側と−Ｙ側とで非対称となる形状に形成されている。また、側面電極３０ａ及び側面電極３０ｂは、中央部Ｃを基準として＋Ｚ側と−Ｚ側とで非対称となる形状に形成されている。
【符号の説明】
【００５７】
ＥＱＰ…携帯情報端末  ＦＬ…筐体  ＤＰ…表示部  ＳＤ…操作部  ＣＯＮＴ…制御装置  Ｆａ〜Ｆｄ…側面  Ｃ…中央部  ＳＤ１〜ＳＤ４…側部検出部  ３０…側面電極  ３０ａ〜３０ｅ…側面電極  ３１…絶縁層  ３２…内部電極
【図１】
2013243502.tif 000003
【図２】
2013243502.tif 000004
【図３】
2013243502.tif 000005
【図４】
2013243502.tif 000006
【図５】
2013243502.tif 000007
【図６】
2013243502.tif 000008
【図７】
2013243502.tif 000009
【図８】
2013243502.tif 000010
【図９】
2013243502.tif 000011
【図１０】
2013243502.tif 000012
【図１１】
2013243502.tif 000013
【図１２】
2013243502.tif 000014
【図１３】
2013243502.tif 000015
【図１４】
2013243502.tif 000016
【図１５】
2013243502.tif 000017